(57)【要約】【課題】簡素な構成で、開閉部材の開閉状態をより確実に検知することができる画像形成装置を提供する。【解決手段】後ろカバー２６（画像形成装置本体）に回動自由に支持された反転カバー３を画像形成装置本体に対して掛止するスナップフィット２７の位置を検知し、スナップフィット２７が掛止部２８に掛止されたことを検知することで、反転カバー３が閉状態にあることを検知するフォトセンサ２９を備える。【選択図】図３
2008139435.tif 000002
【特許請求の範囲】
【請求項１】
装置本体に対して開閉可能な開閉部材と、前記開閉部材を装置本体に対して掛止する掛止手段と、を有する画像形成装置において、
前記掛止手段を検知する検知手段を有することを特徴とする画像形成装置。
【請求項２】
前記掛止手段は、前記開閉部材側に設けられた第１掛止部と、装置本体側に設けられ前記第１掛止部と掛止する第２掛止部と、を備え、前記検知手段は前記第１掛止部を検知することを特徴とする請求項１記載の画像形成装置。
【請求項３】
前記掛止手段が掛止状態にある時、前記開閉部材は装置本体に対して閉状態にあることを特徴とする請求項１記載の画像形成装置。
【請求項４】
前記開閉部材は、記録材搬送路の一部を形成していることを特徴とする請求項１乃至３のいずれか１項に記載の画像形成装置。
【請求項５】
前記開閉部材は、電子写真感光体を包含するカートリッジを画像形成装置に対して着脱する際に開閉される部材であることを特徴とする請求項１乃至３のいずれか１項に記載の画像形成装置。
【請求項６】
前記検知手段は、フォトセンサを備えることを特徴とする請求項１乃至５のいずれか１項に記載の画像形成装置。
【請求項７】
前記検知手段は、マイクロスイッチを備えることを特徴とする請求項１乃至５のいずれか１項に記載の画像形成装置。
【請求項８】
装置本体に対して開閉可能な開閉部材と、前記開閉部材を装置本体に対して掛止する掛止手段と、装置本体と電源を接続又は遮断に切り換えるためのスイッチと、を有する画像形成装置において、
前記掛止手段は前記スイッチを切り換え可能であることを特徴とする画像形成装置。
【請求項９】
前記掛止手段は、前記開閉部材側に設けられた第１掛止部と、装置本体側に設けられ前記第１掛止部と掛止する第２掛止部と、を備え、前記第１掛止部が前記スイッチを切り換えることを特徴とする請求項８記載の画像形成装置。
【請求項１０】
前記掛止手段が掛止状態にある時、前記開閉部材は装置本体に対して閉状態にあることを特徴とする請求項８記載の画像形成装置。
【請求項１１】
前記スイッチは、前記掛止手段が掛止状態にあり、前記開閉部材が装置本体に対して閉状態にある場合には、装置本体と電源を接続し、前記掛止手段の掛止状態が解除され、前記開閉部材が装置本体に対して開状態にある場合には、装置本体と電源を遮断することを特徴とする請求項１０記載の画像形成装置。
【請求項１２】
前記開閉部材は、記録材搬送路の一部を形成していることを特徴とする請求項８乃至１１のいずれか１項に記載の画像形成装置。
【請求項１３】
前記開閉部材は、電子写真感光体を包含するカートリッジを画像形成装置に対して着脱する際に開閉される部材であることを特徴とする請求項８乃至１１のいずれか１項に記載の画像形成装置。
【請求項１４】
前記スイッチは、マイクロスイッチであることを特徴とする請求項８乃至１３のいずれか１項に記載の画像形成装置。
【発明の詳細な説明】
【技術分野】
【０００１】
本発明は、複写機、レーザビームプリンタ等の画像形成装置に関するものである。
【背景技術】
【０００２】
図１９は、両面印刷が可能な画像形成装置１０１の概略構成を示す図である。
【０００３】
以下に、図１９を用いて、両面印刷の過程を説明する。
【０００４】
記録材Ｐは記録材積載台１０４の上に積載されており、記録材積載台１０４の下方に設けられた記録材積載台バネ１０５により、給送ローラ１０６に圧接されている。給送ローラ１０６が不図示の駆動ユニットから駆動を伝達され回動すると、最上層の記録材Ｐが給送される。給送ローラ１０６により記録材Ｐが複数枚給送されても、給送ローラ１０６の下流側に設けられた分離パッド１０７により記録材Ｐは捌かれ、確実に記録材Ｐの最上層１枚が搬送ローラ対１０８に送られる。その後、記録材Ｐはレジストローラ対１０９を経て、プロセスユニット１１０に搬送される。
【０００５】
プロセスユニット１１０では、静電潜像形成、現像、転写が行われる。スキャナユニット１１１から照射されたレーザ光Ｚによって、感光ドラム１１２に静電潜像が形成される。その静電潜像を不図示の現像器により現像することでトナー像が形成される。トナー像は転写ローラ１１３により記録材Ｐに転写される。
【０００６】
トナー像が転写された記録材Ｐは、定着ユニット１１４に搬送され、定着ローラ対１１５により熱、圧力が加えられる。それによりトナー像は記録材Ｐに定着する。
【０００７】
片面印刷時には、記録材Ｐは定着排出ローラ対１１６、反転ローラ対１１７を通過し排出トレイ１１８に排出される。
【０００８】
両面印刷時には、記録材Ｐの後端が定着排出ローラ対１１６を抜けた後、反転ローラ対１１７が矢印Ｂ方向に逆回転する。それにより記録材Ｐは、その先端（片面印刷時の後端）が記録材搬送路１１９に従って、矢印Ｃ方向に搬送される。反転ローラ対１１７は、記録材Ｐの後端が通過した後、矢印Ａ方向の正回転に戻る。記録材Ｐは両面入口ローラ対１２０により記録材搬送路１２１に搬送される。
【０００９】
斜送ピンチローラ１２３は記録材搬送方向に対して、一定量だけ斜めに傾けられた幅寄せ手段であり、記録材Ｐは斜送ローラ対１２２により不図示の記録材ガイドに突き当てられながら搬送される。その後、記録材Ｐは再給送ローラ対１２５、レジストローラ対１０９を経て、先述のプロセスによりトナー像が転写され、定着排出ローラ対１１６、反転ローラ対１１７を通過し、排出トレイ１１８に排出され、両面印刷が完了する。
【００１０】
次に、記録材詰まり処理の過程を説明する。
【００１１】
記録材ガイド部１０２が備えられた反転カバー１０３は画像形成装置１０１に対して、回動自由に支持されている。通常印刷時は、記録材ガイド部１０２が記録材搬送路１２１を形成するように、反転カバー１０３が図１９に示すように閉じた状態である。そして、画像形成装置１０１内で記録材詰まりが生じた際には、図２０に示すように反転カバー１０３を開いた状態にし、ユーザが記録材搬送路１２１にアクセスし、記録材詰まり処理をする。
【００１２】
画像形成装置１０１には、反転カバー１０３の開閉を検知する機構が設けられている。以下に、その検知機構の説明を行う。
【００１３】
図１４（ａ）、図１４（ｂ）は、それぞれ、反転カバー１０３が閉じた状態と開いた状態の斜視図である。
【００１４】
反転カバー１０３は、後ろカバー１２６に回動自由に支持されている。図１４（ａ）の反転カバー１０３が閉じた状態では、反転カバー１０３に設けられたスナップフィット１２７が後ろカバー１２６の掛止部１２８に掛止している。その状態から反転カバーを矢印Ｄ方向に回動させることで、図１４（ｂ）のように、反転カバー１０３を開いた状態にすることができる。
【００１５】
図１５は、図１４（ａ）を矢印Ｊ方向から見た斜視図である。図１６（ａ）は、図１５の２点鎖線で囲んだ部分を拡大した図である。
【００１６】
後ろカバー１２６には、反転カバー１０３の開閉状態を検知するためのフォトセンサ１２９が備えられている。フォトセンサ１２９には、投光部１３０と受光部１３１とが備えられている。そして、投光部１３０からの光１３２が被検知体により遮られるか遮られないかを受光部１３１で検知することで、被検知体の位置を検知している。また反転カバー１０３にはフォトセンサ１２９の被検知体であるリブ１３３が備えられている。
【００１７】
図１６（ｂ）、図１７（ｂ）は、それぞれ反転カバー３が閉じた状態と開いた状態の斜視図である。図１６（ａ）、図１７（ａ）は、各々図１６（ｂ）、図１７（ｂ）の状態に対応する反転カバー３の開閉検知部の拡大図である。
【００１８】
図１６（ａ）では、リブ１３３がフォトセンサ１２９の光１３２を遮った状態であり、反転カバー１０３が閉じていると検知する。一方、図１７（ａ）においては、リブ１３３がフォトセンサ１２９の光１３２を遮らない状態であり、反転カバー１０３が開いていると検知する。反転カバー１０３が開いていると検知した状態で、両面印刷の命令が下ると、ユーザにその旨を警告する。そして、ユーザが反転カバー１０３を閉じ、それを検知した後、両面印刷を開始する仕組みになっている。
【特許文献１】特開２００５−２９２８５号公報
【発明の開示】
【発明が解決しようとする課題】
【００１９】
図１８（ｂ）は、反転カバー１０３が僅かに開いた状態を示す斜視図である。図１８（ａ）は、図１８（ｂ）の状態に対応する反転カバー１０３の開閉検知部の拡大図である。
【００２０】
図１８では、スナップフィット１２７が掛止部１２８に掛止せずに、反転カバー１０３が完全に閉まりきっていない状態であるが、リブ３３はフォトセンサ２９の光３２を遮った状態である。つまり、反転カバー１０３が完全に閉まりきらない状態でも、反転カバー１０３が閉じていると検知されてしまう。そして、その状態で印刷を行うと、反転カバー１０３の記録材ガイド部１０２が正規の位置にないため、記録材詰まり等の不具合が生じる可能性がある。
【００２１】
以上のような従来の構成においては、反転カバーの開閉状態を誤検知する確率を低減するため、反転カバー１０３、フォトセンサ１２９、後ろカバー１２６に高い寸法精度が要求され、コストアップとなってしまう。
【００２２】
本発明は上記したような事情に鑑みてなされたものであり、簡素な構成で、開閉部材の開閉状態をより確実に検知することができる画像形成装置を提供することを目的とする。
【課題を解決するための手段】
【００２３】
上記目的を達成するために本発明にあっては、
装置本体に対して開閉可能な開閉部材と、前記開閉部材を装置本体に対して掛止する掛止手段と、を有する画像形成装置において、
前記掛止手段を検知する検知手段を有することを特徴とする。
【００２４】
また、装置本体に対して開閉可能な開閉部材と、前記開閉部材を装置本体に対して掛止する掛止手段と、装置本体と電源を接続又は遮断に切り換えるためのスイッチと、を有する画像形成装置において、
前記掛止手段は前記スイッチを切り換え可能であることを特徴とする。
【発明の効果】
【００２５】
本発明によれば、簡素な構成で、開閉部材の開閉状態をより確実に検知することができる画像形成装置を提供することが可能となる。
【発明を実施するための最良の形態】
【００２６】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００２７】
以下、本発明の実施例１について説明する。図１２は、両面印刷が可能な、本実施例に係る画像形成装置１の概略構成を示す図である。
【００２８】
以下に、図１２を用いて、両面印刷の過程を説明する。
【００２９】
記録材Ｐは記録材積載台４の上に積載されており、記録材積載台４の下方に設けられた記録材積載台バネ５により、給送ローラ６に圧接されている。給送ローラ６が不図示の駆動ユニットから駆動を伝達され回動すると、最上層の記録材Ｐが給送される。給送ローラ６により記録材Ｐが複数枚給送されても、給送ローラ６の下流側に設けられた分離パッド７により記録材Ｐは捌かれ、確実に記録材Ｐの最上層１枚が搬送ローラ対８に送られる。その後、記録材Ｐはレジストローラ対９を経て、プロセスユニット１０に搬送される。
【００３０】
プロセスユニット１０では、静電潜像形成、現像、転写が行われる。スキャナユニット１１から照射されたレーザ光Ｚによって、電子写真感光体（像担持体）としての感光ドラム１２に静電潜像が形成される。その静電潜像を不図示の現像器により現像することでトナー像が形成される。トナー像は転写ローラ１３により記録材Ｐに転写される。
【００３１】
トナー像が転写された記録材Ｐは、定着ユニット１４に搬送され、定着ローラ対１５により熱、圧力が加えられる。それによりトナー像は記録材Ｐに定着する。
【００３２】
片面印刷時には、記録材Ｐは定着排出ローラ対１６、反転ローラ対１７を通過し排出トレイ１８に排出される。
【００３３】
両面印刷時には、記録材Ｐの後端が定着排出ローラ対１６を抜けた後、反転ローラ対１７が矢印Ｂ方向に逆回転する。それにより記録材Ｐは、その先端（片面印刷時の後端）が
記録材搬送路１９に従って、矢印Ｃ方向に搬送される。反転ローラ対１７は、記録材Ｐの後端が通過した後、矢印Ａ方向の正回転に戻る。記録材Ｐは両面入口ローラ対２０により記録材搬送路２１に搬送される。
【００３４】
斜送ピンチローラ２３は記録材搬送方向に対して、一定量だけ斜めに傾けられた幅寄せ手段であり、記録材Ｐは斜送ローラ対２２により不図示の記録材ガイドに突き当てられながら搬送される。その後、記録材Ｐは再給送ローラ対２５、レジストローラ対９を経て、先述のプロセスによりトナー像が転写され、定着排出ローラ対１６、反転ローラ対１７を通過し、排出トレイ１８に排出され、両面印刷が完了する。
【００３５】
次に、記録材詰まり処理の過程を説明する。
【００３６】
記録材ガイド部２が備えられた開閉部材としての反転カバー３は、画像形成装置１本体（装置本体）に対して回動自由（開閉可能）に支持されている。通常印刷時は、記録材ガイド部２が記録材搬送路２１を形成するように、反転カバー３が図１２に示すように閉じた状態である。すなわち、反転カバー３は、記録材搬送路２１の一部を形成しているということができる。そして、画像形成装置１内で記録材詰まりが生じた際には、図１３に示すように反転カバー３を開いた状態にし、ユーザが記録材搬送路２１にアクセスし、記録材詰まり処理をする。
【００３７】
画像形成装置１には、反転カバー３の開閉を検知する機構が設けられている。以下に、その検知機構の説明を行う。
【００３８】
図１〜図５は、本実施例における構成を示す図である。
【００３９】
図１（ａ）、図１（ｂ）は、それぞれ、反転カバー３が閉じた状態と開いた状態の斜視図である。反転カバー３は、後ろカバー２６（画像形成装置１本体）に回動自由に支持されている。図１（ａ）の反転カバー３が閉じた状態では、反転カバー３に設けられたスナップフィット２７が後ろカバー２６の掛止部２８に掛止（係止）している。その状態から反転カバーを矢印Ｇ方向に回動させることで、図１（ｂ）のように反転カバー３を開いた状態にすることができる。ここで、スナップフィット２７及び掛止部２８は本発明に係る掛止手段を構成しており、スナップフィット２７は本発明に係る第１掛止部を構成し、掛止部２８は本発明に係る第２掛止部を構成している。
【００４０】
図２は、図１（ａ）を矢印Ｆ方向から見た斜視図である。図３は反転カバー３が閉じた状態を示す図であり、図４は反転カバー３が開いた状態を示す図である。ここで、図３（ｂ）、図４（ｂ）は、それぞれ反転カバー３が閉じた状態と開いた状態の斜視図である。図３（ａ）、図４（ａ）は、各々図３（ｂ）、図４（ｂ）の状態に対応する反転カバー３の開閉検知部の拡大図であって、図３（ａ）は、図２の２点鎖線で囲んだ部分を拡大した図となっている。
【００４１】
後ろカバー２６には、反転カバー３の開閉状態を検知するための検知手段としてのフォトセンサ２９が備えられている。フォトセンサ２９には、投光部３０と受光部３１とが備えられている。そして、投光部３０からの光３２が被検知体によりが遮られるか遮られないかを受光部３１で検知することで、被検知体の位置を検知している。本実施例においては、スナップフィット２７が被検知体である。
【００４２】
図３（ａ）では、スナップフィット２７が掛止部２８に掛止される（反転カバー３を閉状態で掛止させる掛止位置に位置する）ことにより、スナップフィット２７がフォトセンサ２９の光３２を遮った状態である。この場合、フォトセンサ２９は、反転カバー３が閉
じていると検知する。一方、図４（ａ）においては、スナップフィット２７がフォトセンサ２９の光３２を遮らない状態であり、フォトセンサ２９は、反転カバー３が開いていると検知する。フォトセンサ２９が、反転カバー３が開いていると検知した状態で、両面印刷の命令が下ると、ユーザにその旨を警告する。そして、ユーザが反転カバー３を閉じ、それを検知した後、両面印刷を開始する仕組みになっている。
【００４３】
図５（ｂ）は、反転カバー３が僅かに開いた状態を示す斜視図である。図５（ａ）は、図５（ｂ）の状態に対応する反転カバー３の開閉検知部の拡大図である。
【００４４】
図５では、スナップフィット２７が掛止部２８に掛止せずに、反転カバー３が完全に閉まりきっていない状態である。スナップフィット２７がフォトセンサ２９の被検知体を兼ねている本実施例においては、この状態では、スナップフィット２７がフォトセンサ２９の光３２を遮らないため、反転カバー３が開いていると検知する。
【００４５】
以上のように、本実施例においては、掛止手段を構成しているスナップフィット２７がフォトセンサ２９の被検知体の役割も兼ねている。したがって、スナップフィット２７が後ろカバー２６の掛止部２８に掛止する動作とスナップフィット２７がフォトセンサ２９の光３２を遮断するという動作が同期している。したがって、反転カバー３の開閉を確実に検知することが可能となる。
【００４６】
また、本実施例においては、反転カバー３、後ろカバー２６、フォトセンサ２９に高い寸法精度が要求されないため、部品製造の難易度の点でも従来例よりも有利となる。
【００４７】
また、本実施例では、２つあるスナップフィット２７の内の一方の位置を検知する（掛止部２８に掛止されたスナップフィット２７を検知する）ことで、反転カバー３の開閉を検知しているが、これに限るものではない。フォトセンサ２９をもう１つ追加して、２つのスナップフィット２７の位置を検知することにより、反転カバー３の開閉を、より確実に検知することが可能となる。
【００４８】
なお、本実施例においては、スナップフィット２７は反転カバー３に設けられ、掛止部２８は後ろカバー２６に設けられているが、これに限るものではない。すなわち、スナップフィット２７が後ろカバー２６に設けられ、掛止部２８が反転カバー３に設けられるものであってもよい。この場合、フォトセンサ２９は、反転カバー３側に設けられるとよいが、フォトセンサ２９が後ろカバー２６に設けられて、反転カバー３に設けられた掛止部２８を検知することで、掛止状態にあることを検知するようにしてもよい。
【実施例２】
【００４９】
以下、図６〜図９を用いて本発明の実施例２について説明する。なお、実施例１と同様の構成部分については同一の符号を付して、その説明は省略する。
【００５０】
図６、図７は、画像形成装置１全体の斜視図である。
【００５１】
開閉部材としてのカートリッジドア３４は、前カバー３５に対して、回動自由に支持されている。通常印刷状態では、図６に示すような閉じた状態で使用する。
【００５２】
本実施例の画像形成装置１は、感光ドラム１２、帯電器、現像器、クリーニング装置のプロセス機器を備えたプロセスカートリッジ４１が着脱可能な構成となっている。プロセスカートリッジ４１の着脱は、図７に示すようにカートリッジドア３４を開けた状態で行われる。すなわち、カートリッジドア３４は画像形成装置１本体に対して開閉可能に設けられ、プロセスカートリッジ４１を画像形成装置１に対して着脱する際に開閉される部材
ということができる。
【００５３】
図８は、図６の２点鎖線で囲んだ部分の拡大図であり、内部が見えるように一部を切断してある。
【００５４】
カートリッジドア３４には、掛止爪４２が回動自由に備えられており、掛止爪ばね４３により矢印Ｈ方向に付勢されている。カートリッジドア３４が閉じた状態では、掛止爪４２が上カバー３７の掛止部４４に掛止している。ここで、掛止爪４２及び掛止部４４は本発明に係る掛止手段を構成しており、掛止爪４２は本発明に係る第１掛止部を構成し、掛止部４４は本発明に係る第２掛止部を構成している。
【００５５】
上カバー３７には、カートリッジドア３４の開閉状態を検知するためのフォトセンサ２９が備えられている。フォトセンサ２９には、投光部３０と受光部３１とが備えられている。そして、投光部３０からの光３２が被検知体によりが遮られるか遮られないかを受光部３１で検知することで、被検知体の位置を検知している。本実施例においては、掛止爪４２が被検知体である。
【００５６】
図８では、掛止爪４２がフォトセンサ２９の光３２を遮った状態であり、カートリッジドア３４が閉じていると検知する。
【００５７】
掛止爪４２がフォトセンサ２９の光３２を遮らない状態では、カートリッジドア３４が開いていると検知し、その状態で印刷の命令が下ると、ユーザにその旨を警告する。そして、ユーザがカートリッジドア３４を閉じ、それを検知した後、印刷を開始する仕組みになっている。
【００５８】
図９は、カートリッジドア３４が僅かに開いた状態を示す斜視図である。この状態は、掛止爪４２が掛止部４４に掛止せずに、カートリッジドア３４が完全に閉まりきっていない状態である。掛止爪４２がフォトセンサ２９の被検知体を兼ねている本実施例においては、この状態では、掛止爪４２がフォトセンサ２９の光３２を遮らないため、カートリッジドア３４が開いていると検知する。
【００５９】
以上のように、本実施例においては、掛止手段を構成している掛止爪４２がフォトセンサ２９の被検知体の役割も兼ねている。
【００６０】
したがって、掛止爪４２が上カバー３７の掛止部４４に掛止する動作と掛止爪４２がフォトセンサ２９の光３２を遮断するという動作が同期している。したがって、カートリッジドア３４の開閉を確実に検知することが可能となる。
【００６１】
また、本実施例においては、カートリッジドア３４、上カバー３７、フォトセンサ２９に高い寸法精度が要求されないため、部品製造の難易度の点でも従来例よりも有利となる。
【実施例３】
【００６２】
以下、図６、図７、図１０、図１１を用いて本発明の実施例３について説明する。なお、実施例１，２と同様の構成部分については同一の符号を付して、その説明は省略する。
【００６３】
カートリッジドア３４は、前カバー３５に対して、回動自由に支持されている。通常印刷状態では、図６に示すような閉じた状態で使用する。
【００６４】
本実施例の画像形成装置１は、感光ドラム１２、帯電器、現像器、クリーニング装置の
プロセス機器を備えたプロセスカートリッジ４１が着脱可能な構成となっている。プロセスカートリッジ４１の着脱は、図７に示すようにカートリッジドア３４を開けた状態で行う。
【００６５】
図１０は、図６の２点鎖線で囲んだ部分の拡大図であり、内部が見えるように一部を切断してある。
【００６６】
カートリッジドア３４には、掛止爪４２が回動自由に備えられており、掛止爪ばね４３により矢印Ｈ方向に付勢されている。カートリッジドア３４が閉じた状態では、掛止爪４２が上カバー３７の掛止部４４に掛止している。掛止爪４２は、掛止部４４に掛止されることで、画像形成装置１本体に対してカートリッジドア３４を閉状態で掛止させる掛止位置に位置することとなる。
【００６７】
上カバー３７にはマイクロスイッチ４５が備えられている。マイクロスイッチ４５は、スイッチの一部をなしたアクチュエータ部４６を、操作体で矢印Ｉ方向に押すことでスイッチを切り換え、不図示の電気回路を閉路することで、画像形成装置１本体と電源を接続して、画像形成装置１に電源を供給する。また、アクチュエータ部４６を操作体で押さない状態では、不図示の電気回路を開路し、画像形成装置１本体と電源との接続を遮断し、画像形成装置１に供給される電源を強制的に遮断する。本実施例においては、掛止爪４２が操作体であり、カートリッジドア３４を閉じた状態では、掛止爪４２が掛止位置に位置することで、掛止爪４２がアクチュエータ部４６を押してスイッチが切り換えられることとなる。そして、カートリッジドア３４が開状態となる際には、掛止爪４２の掛止状態が解除される時に、アクチュエータ部４６を操作体が押さない状態となることでスイッチが切り換えられることとなる。
【００６８】
図１１は、掛止爪４２が掛止部４４に掛止せずに、カートリッジドア３４が完全に閉まりきっておらず、僅かに開いた状態を示す図である。図１１に示す状態では、掛止爪４２が掛止位置から移動してマイクロスイッチ４５から離れることで、掛止爪４２がアクチュエータ部４６を押さないため、マイクロスイッチ４５は不図示の電気回路を開路し、画像形成装置１に供給される電源を強制的に遮断する。
【００６９】
以上のように、本実施例においては、掛止手段を構成している掛止爪４２がマイクロスイッチ４５のアクチュエータ部４６を押す操作体の役割も兼ねている。
【００７０】
したがって、掛止爪４２が上カバー３７の掛止部４４に掛止する動作と掛止爪４２がマイクロスイッチ４５のアクチュエータ部４６を押す動作が同期している。したがって、カートリッジドア３４が完全には閉じない状態で、画像形成装置１が動作してしまう、また、カートリッジドアが完全に閉じた状態で、画像形成装置１が動作しないという不具合を確実に防止することが可能となる。
【００７１】
本実施例においては、カートリッジドア３４の開閉と、画像形成装置１に供給される電源を遮断するマイクロスイッチ４５の開閉を連動させているが、カートリッジドア３４だけではなく、実施例１で説明した反転カバー３等の開閉部材にも適用することができる。
【図面の簡単な説明】
【００７２】
【図１】本発明の実施例１における、反転カバーの開閉状態を示す斜視図である。
【図２】本発明の実施例１における、反転カバーの開閉検知機構部を含む斜視図である。
【図３】本発明の実施例１における、反転カバーが閉じた状態を示す斜視図（図３（ｂ））と、その状態での反転カバーの開閉検知機構部の拡大斜視図（図３（ａ））である。
【図４】本発明の実施例１における、反転カバーが開いた状態を示す斜視図（図４（ｂ））と、その状態での反転カバーの開閉検知機構部の拡大斜視図（図４（ａ））である。
【図５】本発明の実施例１における、反転カバーが僅かに開いた状態を示す斜視図（図５（ｂ））と、その状態での反転カバーの開閉検知機構部の拡大斜視図（図５（ａ））である。
【図６】本発明の実施例２、実施例３における、カートリッジドアが閉じた状態の画像形成装置全体を示す斜視図である。
【図７】本発明の実施例２、実施例３における、カートリッジドアが開いた状態の画像形成装置全体を示す斜視図である。
【図８】本発明の実施例２における、カートリッジドアが閉じた状態の拡大斜視図である。
【図９】本発明の実施例２における、カートリッジドアが僅かに開いた状態の拡大斜視図である。
【図１０】本発明の実施例３における、カートリッジドアが閉じた状態の拡大斜視図である。
【図１１】本発明の実施例３における、カートリッジドアが僅かに開いた状態の拡大斜視図である。
【図１２】本発明の実施例１における、画像形成装置の概略構成を示す図である。
【図１３】本発明の実施例１における、画像形成装置の概略構成を示す図である。
【図１４】従来例における、反転カバーの開閉状態を示す斜視図である。
【図１５】従来例における、反転カバーの開閉検知機構部を含む斜視図である。
【図１６】従来例における、反転カバーが閉じた状態を示す斜視図（図１６（ｂ））と、その状態での反転カバーの開閉検知機構部の拡大斜視図（図１６（ａ））である。
【図１７】従来例における、反転カバーが開いた状態を示す斜視図（図１７（ｂ））と、その状態での反転カバーの開閉検知機構部の拡大斜視図（図１７（ａ））である。
【図１８】従来例における、反転カバーが僅かに開いた状態を示す斜視図（図１８（ｂ））と、その状態での反転カバーの開閉検知機構部の拡大斜視図（図１８（ａ））である。
【図１９】従来例における、画像形成装置の概略構成を示す図である。
【図２０】従来例における、画像形成装置の概略構成を示す図である。
【符号の説明】
【００７３】
１  画像形成装置
２  記録材ガイド部
３  反転カバー
２６  後ろカバー
２７  スナップフィット
２８  掛止部
２９  フォトセンサ
３０  投光部
３１  受光部
３２  光
３３  リブ
３４  カートリッジドア
４１  プロセスカートリッジ
４２  掛止爪
４３  掛止爪バネ
４４  掛止部
４５  マイクロスイッチ
４６  アクチュエータ部
【図１】
2008139435.tif 000003
【図２】
2008139435.tif 000004
【図３】
2008139435.tif 000005
【図４】
2008139435.tif 000006
【図５】
2008139435.tif 000007
【図６】
2008139435.tif 000008
【図７】
2008139435.tif 000009
【図８】
2008139435.tif 000010
【図９】
2008139435.tif 000011
【図１０】
2008139435.tif 000012
【図１１】
2008139435.tif 000013
【図１２】
2008139435.tif 000014
【図１３】
2008139435.tif 000015
【図１４】
2008139435.tif 000016
【図１５】
2008139435.tif 000017
【図１６】
2008139435.tif 000018
【図１７】
2008139435.tif 000019
【図１８】
2008139435.tif 000020
【図１９】
2008139435.tif 000021
【図２０】
2008139435.tif 000022